(57)【要約】【課題】洗浄水タンクから便器へ供給する洗浄水量を大洗浄と小洗浄に切り替える切替弁から錘が抜け落ちることによる切替弁の動作不良を防ぎ、排水性能の信頼性を向上させることができる排水弁装置及びそれを備えた洗浄水タンク装置を提供する。【解決手段】本発明の排水弁装置２８は、貯水タンク２２の排水口２２ａを開閉する排水弁８４と、この排水弁の上下動を制御する内側制御筒部材７６と、内側制御筒部材の周囲を取り囲むように設けられた外側制御筒部材６２と、を有し、この外側制御筒部材、側壁９０ｂ，９０ｂ’と、この側壁に形成された開口部９０ｃに開閉可能に取り付けられた切替弁５６と、を備え、切替弁は、板状の錘５６ｂと、錘取付部５６ｄと、を備え、この錘取付部は、錘の上端及び下端を支持する支持部５６ｆ，５６ｇと、この支持部の側方に設けられて錘の側部を固定するスナップフィット１１０と、を備えている。【選択図】図１７
2012219509.tif 000002
【特許請求の範囲】
【請求項１】
便器を洗浄する洗浄水を貯える洗浄水タンクの排水弁装置であって、
洗浄水タンクの底面に配置された排水口を開閉する排水弁と、
この排水弁の上下動を制御する内側制御筒部材と、
上記排水口、上記排水弁、及び上記内側制御筒部材の周囲を取り囲むように設けられた外側制御筒部材であって、上記洗浄水タンクの底面から上方に延びてその上方を開放する側壁と、この側壁に形成された開口部に開閉可能に取り付けられた切替弁と、を備え、上記切替弁により上記開口部を開閉することにより、上記洗浄水タンクの排水口から流出する洗浄水の流量を制御する上記外側制御筒部材と、を有し、
この外側制御筒部材の切替弁は、上記外側制御筒部材の側壁に回動可能に取り付けられ、上記外側制御筒部材の開口部を閉鎖した所定の上方位置から上記外側制御筒部材の外側に回動して上記外側制御筒部材の開口部を開放した所定の下方位置まで回動可能な切替弁本体と、板状の錘と、上記切替弁本体に設けられて上記錘が着脱可能に取り付けられる錘取付部と、を備え、この錘取付部は、上記錘の上端及び下端を支持する支持部と、この支持部の側方に設けられて上記錘の側部を固定する固定部と、を備え、この固定部は、上記錘を上記支持部に対して着脱するときに、上記錘と上記固定部とを互いに弾性的に接触させて上記錘を上記固定部に対して通過可能にさせる弾性接触手段を備えていることを特徴とする排水弁装置。
【請求項２】
上記外側制御筒部材の切替弁の錘は、上記錘取付部に取り付けられる際に、上記弾性接触手段により上記錘と上記固定部とが弾性的に接触しながら水平方向に移動可能であり、上記切替弁本体と上記支持部との間に挿入されて上記弾性接触が解除された後、上記支持部と上記固定部の側面とにより上記切替弁本体に固定される請求項１記載の排水弁装置。
【請求項３】
上記固定部の弾性接触手段は、上記切替弁本体の外面から外側に所定長さ突出した基端部と、この基端部から上記切替弁本体の外面と所定間隔を置いて所定長さ上方に延びた先端部と、を備えた弾性留め具であり、この弾性留め具は、更に、上記錘を上記錘取付部に取り付ける際に、上記基端部及び上記先端部をそれぞれ固定端及び自由端とし、上記錘が上記切替弁本体と上記弾性留め具との間を通過可能に上記切替弁本体の外面の面外方向への弾性変形が可能に上記基端部から上記先端部まで延びる弾性変形部を備え、この弾性変形部は、上記錘の上記錘取付部への取り付けが完了すると、上記錘の側面と上記弾性留め具の錘側の側面が互いに当接するように上記弾性変形が戻り、上記錘が水平方向に固定される請求項１記載の排水弁装置。
【請求項４】
請求項１乃至３の何れか１項に記載の排水弁装置を備えた洗浄水タンク装置。
【発明の詳細な説明】
【技術分野】
【０００１】
本発明は、排水弁装置、及び、それを備えた洗浄水タンク装置に係り、特に、便器を洗浄する洗浄水を貯える洗浄水タンクの排水弁装置、及び、それを備えた洗浄水タンク装置に関する。
【背景技術】
【０００２】
従来から、便器を洗浄する洗浄水を貯える洗浄水タンクの排水弁装置及びそれを備えた洗浄水タンク装置として、例えば、特許文献１に記載されているように、洗浄水タンクの底部に形成された排水口とこの排水口を開閉させる排水弁とを囲むように筒体が設けられ、この筒体の側面に形成された開口を開閉する錘付きの切替弁が設けられ、この切替弁が開閉することにより、洗浄水タンクから便器に供給される洗浄水量について、大洗浄水量又は小洗浄水量のいずれかに切り替えるようになっているものが知られている。
すなわち、便器の大洗浄を行う際には、錘付き切替弁が錘の重量によって筒体の開口を開放した状態で排水弁が排水口を開放し、洗浄水タンク内の洗浄水が筒体の上方及び筒体の開口から筒体内に流れ込むことにより、この筒体内から排水口を経て便器へ供給される洗浄水量が多く設定できるようになっている。
一方、便器の小洗浄を行う際には、錘付き切替弁が引き上げられ、筒体の開口を閉鎖した状態で排水弁が排水口を開放し、洗浄水タンク内の洗浄水が筒体の開口を通過できない分だけ、筒体内から排水口を経て便器へ供給される洗浄水量を少なく設定できるようになっており、錘付き切替弁の開閉状態に応じて洗浄水タンクから便器に供給される洗浄水量が切り替えられるようになっている。
【０００３】
このように、筒体の開口を開閉する錘付き切替弁は、洗浄水量を切り替えるための重要な手段であるため、この錘付き切替弁に取り付けられている錘についても、切替弁の開閉動作を実行する上で重要な役割を担っている。
また、このような錘付き切替弁の錘の取付方法としては、工場生産時に、切替弁を構成する部材同士の間に錘を挟み込んだ状態で切替弁の部材同士を嵌め殺すことにより、錘を切替弁に挟み込み固着する方法が用いられている。
【先行技術文献】
【特許文献】
【０００４】
【特許文献１】特開昭６０−１８４１３３号公報
【発明の概要】
【発明が解決しようとする課題】
【０００５】
しかしながら、このような錘の取り付け方法においては、少なくとも二部品が必要となりコスト高になるという問題がある。
また、工場生産時に、このような錘を切替弁に一旦固着させて取り付けてしまうと、工場出荷後には錘を取り外すことができなくなるため、錘付き切替弁のメンテナンスを行うことができないという問題もある。
さらに、これらの問題を解決するために、切替弁から錘を容易に着脱するための手段として、一部品から構成される切換弁に錘を上下方向から弾性的に固定する留め具を設け、この留め具に錘を脱着可能に取り付けることも考えられるが、切替弁は上下方向に動作するものであるため、留め具の比較的強度の弱い部分に錘の重量が集中的に作用すると、留め具が破壊し、切替弁から錘が脱落し、切替弁の開閉動作が機能しなくなり、排水弁装置自体の信頼性も損なうという問題もある。
【０００６】
そこで、本発明は、上述した従来技術の問題点を解決するためになされたものであり、洗浄水タンクから便器へ供給する洗浄水量を大洗浄と小洗浄に切り替える切替弁から錘が抜け落ちることによる切替弁の動作不良を防ぎ、排水性能の信頼性を向上させることができる排水弁装置及びそれを備えた洗浄水タンク装置を提供することを目的としている。
【課題を解決するための手段】
【０００７】
上記の目的を達成するために、本発明は、便器を洗浄する洗浄水を貯える洗浄水タンクの排水弁装置であって、洗浄水タンクの底面に配置された排水口を開閉する排水弁と、この排水弁の上下動を制御する内側制御筒部材と、上記排水口、上記排水弁、及び上記内側制御筒部材の周囲を取り囲むように設けられた外側制御筒部材であって、上記洗浄水タンクの底面から上方に延びてその上方を開放する側壁と、この側壁に形成された開口部に開閉可能に取り付けられた切替弁と、を備え、上記切替弁により上記開口部を開閉することにより、上記洗浄水タンクの排水口から流出する洗浄水の流量を制御する上記外側制御筒部材と、を有し、この外側制御筒部材の切替弁は、上記外側制御筒部材の側壁に回動可能に取り付けられ、上記外側制御筒部材の開口部を閉鎖した所定の上方位置から上記外側制御筒部材の外側に回動して上記外側制御筒部材の開口部を開放した所定の下方位置まで回動可能な切替弁本体と、板状の錘と、上記切替弁本体に設けられて上記錘が着脱可能に取り付けられる錘取付部と、を備え、この錘取付部は、上記錘の上端及び下端を支持する支持部と、この支持部の側方に設けられて上記錘の側部を固定する固定部と、を備え、この固定部は、上記錘を上記支持部に対して着脱するときに、上記錘と上記固定部とを互いに弾性的に接触させて上記錘を上記固定部に対して通過可能にさせる弾性接触手段を備えていることを特徴としている。
このように構成された本発明においては、錘を外側制御筒部材の切替弁の錘取付部に取り付けた状態では、この錘による上下方向の荷重によって、切替弁本体が外側制御筒部材の開口部を閉鎖した所定の上方位置と外側制御筒部材の開口部を開放した所定の下方位置との間で回動することができる。このとき、切替弁の錘取付部の支持部には、錘による上下方向の荷重が作用するのに対し、錘の側部を固定する切替弁の錘取付部の固定部や比較的強度の弱い弾性接触手段には、錘による上下方向の荷重が作用しないため、固定部や弾性接触手段が、錘の荷重によって破損したりすることを防ぐことができる。したがって、外側制御筒部材の切替弁による外側制御筒部材の開口部の開閉動作中に、切替弁の錘取付部の固定部や弾性接触手段が破損して錘が錘取付部から抜け落ちるのを防ぐことができる。この結果、切替弁の動作不良を防ぐことができ、排水弁装置の信頼性を向上させることができる。
【０００８】
本発明において、好ましくは、上記外側制御筒部材の切替弁の錘は、上記錘取付部に取り付けられる際に、上記弾性接触手段により上記錘と上記固定部とが弾性的に接触しながら水平方向に移動可能であり、上記切替弁本体と上記支持部との間に挿入されて上記弾性接触が解除された後、上記支持部と上記固定部の側面とにより上記切替弁本体に固定される。
このように構成された本発明においては、錘を外側制御筒部材の切替弁の錘取付部に取り付ける際に、弾性接触手段により錘と固定部とが弾性的に接触しながら錘を水平方向に移動させ、切替弁本体と支持部との間に挿入して弾性接触を解除した後、支持部及び固定部により錘を切替弁本体に確実に固定することができる。また、切替弁本体について、外側制御筒部材の開口部を閉鎖した所定の上方位置と開口部を開放した所定の下方位置との間で回動させたとしても、錘の側部を固定する切替弁の錘取付部の固定部や比較的強度の弱い弾性接触手段には、錘による上下方向の荷重が作用しないため、固定部や弾性接触手段が、錘の荷重によって破損したりすることを防ぐことができる。さらに、外側制御筒部材の切替弁による外側制御筒部材の開口部の開閉動作中に、切替弁の錘取付部の固定部や弾性接触手段が破損して錘が錘取付部から水平方向に抜け落ちるのを防ぐことができる。したがって、切替弁の開閉動作の不良を防ぐことができ、排水弁装置の信頼性を向上させることができる。
【０００９】
本発明において、好ましくは、上記固定部の弾性接触手段は、上記切替弁本体の外面から外側に所定長さ突出した基端部と、この基端部から上記切替弁本体の外面と所定間隔を置いて所定長さ上方に延びた先端部と、を備えた弾性留め具であり、この弾性留め具は、更に、上記錘を上記錘取付部に取り付ける際に、上記基端部及び上記先端部をそれぞれ固定端及び自由端とし、上記錘が上記切替弁本体と上記弾性留め具との間を通過可能に上記切替弁本体の外面の面外方向への弾性変形が可能に上記基端部から上記先端部まで延びる弾性変形部を備え、この弾性変形部は、上記錘の上記錘取付部への取り付けが完了すると、上記錘の側面と上記弾性留め具の錘側の側面が互いに当接するように上記弾性変形が戻り、上記錘が水平方向に固定される。
このように構成された本発明においては、錘の錘取付部への取り付けが完了後、錘の側面と弾性留め具の錘側の側面が互いに当接して錘が水平方向に固定されるため、切替弁本体について、外側制御筒部材の開口部を閉鎖した所定の上方位置と開口部を開放した所定の下方位置との間で回動させたとしても、比較的強度の弱い弾性留め具の基端部には、錘による上下方向の荷重が作用しないため、弾性留め具が、錘の荷重によって破損したりすることを防ぐことができる。さらに、外側制御筒部材の切替弁による外側制御筒部材の開口部の開閉動作中に、切替弁の錘取付部の弾性留め具が破損して錘が錘取付部から水平方向に抜け落ちるのを防ぐことができる。また、切替弁の動作不良を防ぐことができ、排水弁装置の信頼性を向上させることができる。
【００１０】
また、本発明は、上記排水弁装置を備えた洗浄水タンク装置である。
このように構成された本発明においては、洗浄水の供給性能と信頼性を向上させる洗浄水タンク装置を提供することができる。
【発明の効果】
【００１１】
本発明の排水弁装置及びそれを備えた洗浄水タンク装置によれば、洗浄水タンクから便器へ供給する洗浄水量を大洗浄と小洗浄に切り替える切替弁から錘が抜け落ちることによる切替弁の動作不良を防ぎ、排水性能の信頼性を向上させることができる。
【図面の簡単な説明】
【００１２】
【図１】本発明の第１実施形態による洗浄水タンク装置が適用された水洗便器の断面図である。
【図２】本発明の第１実施形態による洗浄水タンク装置について蓋体を取り外した状態で貯水タンク内の構造を前方斜め上方から見た斜視図である。
【図３】本発明の第１実施形態による洗浄水タンク装置の貯水タンク内の構造を示す平面図である。
【図４】図３のＩＶ−ＩＶ線に沿って見た断面図である。
【図５】本発明の第１実施形態による洗浄水タンク装置の排水弁装置の分解斜視図である。
【図６】本発明の第１実施形態による洗浄水タンク装置の排水弁装置において外側制御筒部材を取り外した状態を示す斜視図である。
【図７】本発明の第１実施形態による洗浄水タンク装置の排水弁装置において内側制御筒部材に取り付けられた流量調節部材を示す拡大図である。
【図８】本発明の第１実施形態による洗浄水タンク装置の排水弁装置において内側制御筒部材に取り付けられた調節部材を示す正面側拡大図である。
【図９】本発明の第１実施形態による洗浄水タンク装置の排水弁装置において内側制御筒部材の調節部材を示す背面側拡大図である。
【図１０】図７のＸ−Ｘ線に沿って見た断面図である。
【図１１】本発明の第１実施形態による洗浄水タンク装置の排水弁装置を後方斜め上方から見た斜視図である。
【図１２】本発明の第１実施形態による洗浄水タンク装置の排水弁装置を示す正面図である。
【図１３】本発明の第１実施形態による洗浄水タンク装置の排水弁装置における外側制御筒部材の背面側の雌側嵌合部の位置決め用凹部と遠位側流量調節部材の雄側嵌合部のフレーム状突起との嵌合状態を示す拡大斜視図である。
【図１４】本発明の第１実施形態による洗浄水タンク装置の排水弁装置における外側制御筒部材の正面側の雌側嵌合部の位置決め用凹部と遠位側流量調節部材の雄側嵌合部の鉤爪状突起との嵌合状態を示す拡大斜視図である。
【図１５】本発明の第１実施形態による洗浄水タンク装置の排水弁装置における外側制御筒部材の背面側の雌側嵌合部の位置決め用凹部に遠位側流量調節部材の雄側嵌合部のフレーム状突起が嵌合された後、外側制御筒部材の正面側の雌側嵌合部の位置決め用凹部に遠位側流量調節部材の雄側嵌合部の鉤爪状突起が嵌合されるまでの状態を示す部分平面断面図である。
【図１６】本発明の第１実施形態による洗浄水タンク装置の排水弁装置における外側制御筒部材の正面側の雌側嵌合部の位置決め用凹部と遠位側流量調節部材の雄側嵌合部の鉤爪状突起との嵌合部分を示す拡大平面断面図である。
【図１７】図１７（ａ）は、本発明の第１実施形態による洗浄水タンク装置の排水弁装置の切替弁における錘の取り付け前の状態を示す斜視図であり、図１７（ｂ）は、本発明の第１実施形態による洗浄水タンク装置の排水弁装置の切替弁における錘の取り付け中の状態を示す斜視図であり、図１７（ｃ）は、本発明の第１実施形態による洗浄水タンク装置の排水弁装置の切替弁における錘の取り付け完了後の状態を示す斜視図である。
【図１８】本発明の第１実施形態による洗浄水タンク装置の排水弁装置における切替弁を示す正面図である。
【図１９】図１９（ａ）は、本発明の第１実施形態による洗浄水タンク装置の大洗浄モードにおける排水開始前の状態の排水弁装置を示す正面断面図であり、図１９（ｂ）は、本発明の第１実施形態による洗浄水タンク装置の大洗浄モードにおける排水開始直後の状態の排水弁装置を示す正面断面図であり、図１９（ｃ）は、本発明の第１実施形態による洗浄水タンク装置の大洗浄モードにおける排水途中の状態の排水弁装置を示す正面断面図であり、図１９（ｄ）は、本発明の第１実施形態による洗浄水タンク装置の大洗浄モードにおける排水終了後の状態の排水弁装置を示す正面断面図である。
【図２０】図２０（ａ）は、本発明の第１実施形態による洗浄水タンク装置の小洗浄モードにおける排水開始前の状態の排水弁装置を示す正面断面図であり、図２０（ｂ）は、本発明の第１実施形態による洗浄水タンク装置の小洗浄モードにおける排水開始直後の状態の排水弁装置を示す正面断面図であり、図２０（ｃ）は、本発明の第１実施形態による洗浄水タンク装置の小洗浄モードにおける排水途中の状態の排水弁装置を示す正面断面図であり、図２０（ｄ）は、本発明の第１実施形態による洗浄水タンク装置の小洗浄モードにおける排水終了後の状態の排水弁装置を示す正面断面図である。
【図２１】図２１（ａ）は、本発明の第２実施形態による洗浄水タンク装置の排水弁装置の切替弁における錘の取り付け前の状態を示す側面図であり、図２１（ｂ）は、本発明の第２実施形態による洗浄水タンク装置の排水弁装置の切替弁における錘の取り付け中の状態を示す側面図であり、図２１（ｃ）は、本発明の第１実施形態による洗浄水タンク装置の排水弁装置の切替弁における錘の取り付け完了後の状態を示す側面図である。
【図２２】本発明の第２実施形態による洗浄水タンク装置の排水弁装置における切替弁を示す正面図である。
【発明を実施するための形態】
【００１３】
つぎに、添付図面により、本発明の第１実施形態による排水弁装置及びそれを備えた洗浄水タンク装置を説明する。
まず、図１により、本発明の第１実施形態による洗浄水タンク装置が適用された水洗便器を説明する。
図１は、本発明の第１実施形態による洗浄水タンク装置が適用された水洗便器の断面図である。
【００１４】
図１に示すように、符号１は洗落し式の水洗便器を示し、この便器１は、便器本体２を備え、この便器本体２には、ボウル部４と、導水路６と、ボウル部４の下部と連通するトラップ管路８がそれぞれ形成されている。
便器本体２のボウル部４の上縁部には、内側にオーバーハングしたリム１０と、導水路６から供給される洗浄水を吐水する第１吐水口１２が形成され、この第１吐水口１２から吐水された洗浄水は、旋回しながら下降してボウル部を洗浄するようになっている。
【００１５】
ボウル部４の下方には、一点鎖線で貯留面Ｗ0が示された溜水部１４が形成されている。この溜水部１４の下方には、排水トラップ管路８の入口８ａが開口し、この入口８ａから上昇路８ｂが後方に延びている。この上昇路８ｂには下降路８ｃが連続し、下降路８ｃの下端は排水ソケット（図示せず）を介して床下の排出管（図示せず）に接続されている。また、ボウル部４の貯留面Ｗ0の上方位置には、導水路６から供給される洗浄水を吐水する第２吐水口１６が形成され、この第２吐水口１６から吐水される洗浄水が溜水部１４の溜水を上下方向に旋回させる旋回流を生じさせるようになっている。
【００１６】
便器本体２の導水路６の上方には、便器本体２に供給する洗浄水を貯水する洗浄水タンク装置１８（詳細は後述する）が設けられている。
洗浄水タンク装置１８は、陶器製の外装タンク２０と、この外装タンク２０内に一体となって配置され、水洗便器１を洗浄する洗浄水が貯水される貯水タンク２２と、外装タンク２０に載せられる蓋体２４を備えている。
貯水タンク２２の底部には、便器本体２の導水路６と連通する排水口２２ａが形成され、貯水タンク２２内の洗浄水が導水路６へと排水されるようになっている。また、貯水タンク２２は、便器の種類に応じて、貯水する洗浄水の量が異なっている。
なお、本実施形態による洗浄水タンク装置１８においては、上述した洗落し式以外の他のタイプの水洗便器（例えば、サイホン式水洗便器など）にも適用可能である。
【００１７】
つぎに、図２〜図４により、洗浄水タンク装置１８の詳細について説明する。
図２は、本発明の第１実施形態による洗浄水タンク装置について蓋体を取り外した状態で貯水タンク内の構造を前方斜め上方から見た斜視図であり、図３は、本発明の第１実施形態による洗浄水タンク装置の貯水タンク内の構造を示す平面図であり、図４は、図３のＩＶ−ＩＶ線に沿って見た断面図である。なお、図４においては、貯水タンク２２の満水時の止水水位をＷＬ０で示している。
【００１８】
図２〜図４に示すように、洗浄水タンク装置１８の貯水タンク２２内には、この貯水タンク２２内に洗浄水を供給する給水装置２６と、貯水タンク２２に貯えられた洗浄水について排水口２２ａを開放して便器本体２の導水路６に流出させる排水弁装置２８とが設けられている。
【００１９】
給水装置２６は、外部の給水源に接続され貯水タンク２２の底部から上方に延びる給水管３０と、この給水管３０の上端部に取り付けられ、給水管３０から給水される洗浄水の貯水タンク２２内への吐水と止水を切り替える給水バルブ３２と、貯水タンク２２内の水位の変動に応じて上下動して給水バルブ３２による吐水と止水を切り替えるフロート３４とを備えている。
【００２０】
給水管３０の外周側下端部には、吐水口３６が開口し、給水バルブ３２からの洗浄水がこの吐水口３６から貯水タンク２２内に吐水されるようになっている。
給水装置２６は、更に、給水バルブ３２に接続されたリフィール管３８を備え、このリフィール管３８の下流端は、後述する排水弁装置２８のオーバーフロー管４０の上端開口の上方に位置している。
【００２１】
給水装置２６においては、後述する排水弁装置２８により、貯水タンク２２内の洗浄水が便器に排水されると、洗浄水の水位が低下してフロート３４が下降し、それにより給水バルブ３２が開き、吐水口３６から吐水が開始される、貯水タンク２２内への吐水が開始される。次に、吐水が継続されて水位が上昇すると、フロート３４も上昇し、それにより給水バルブ３２が閉じ、吐水口３６が止水される。これにより、貯水タンク２２内の洗浄水の水位を所定の満水時の水位に維持するようになっている。
【００２２】
つぎに、図２〜図１８を参照して、排水弁装置２８について詳細に説明する。
図５は、本発明の第１実施形態による洗浄水タンク装置の排水弁装置の分解斜視図である。
図２〜図５に示すように、排水弁装置２８は、貯水タンク２２の外部に取り付けられた操作レバー４２と、一端が操作レバー４２に取り付けられ、他端が貯水タンク２２内まで延びて操作レバー４２の操作により回転する回転軸４４を備えている。
【００２３】
ここで、本実施形態では、一例として、操作レバー４２及び回転軸４４については、使用者が操作レバー４２を直接回転操作して回転軸４４を回転させるような手動式の操作形態について説明するが、このような形態に限定されず、操作レバー４２及び回転軸４４を回転させるためのモータ等の駆動手段を設け、外部に設定された操作ボタン（図示せず）又は人感センサー（図示せず）からの指令信号によって駆動手段の作動を自動的に制御するような操作形態にしてもよい。
【００２４】
また、回転軸４４の他端には、回転軸４４の回転と共に回転軸４４の中心軸線４４ａを中心に回転する玉鎖引き上げ部材４６が回転軸４４と一体的に取り付けられている。
この玉鎖引き上げ部材４６においては、回転軸４４の中心軸線４４ａに対して一方の側には、回転軸４４の回転により上下動するようになっている第１玉鎖４８が取り付けられる第１玉鎖取付部４６ａが設けられ、回転軸４４の中心軸線４４ａに対して他方の側には、回転軸４４の回転により上下動するようになっている第２玉鎖５０が取り付けられる第２玉鎖取付部４６ｂが設けられている。
【００２５】
また、第１玉鎖４８及び第２玉鎖５０のそれぞれの下端は、後述するフロート部材５２の第１玉鎖取付部５２ａ及び第２玉鎖取付部５２ｂのそれぞれに取り付けられている。
さらに、玉鎖引き上げ部材４６において、第２玉鎖取付部４６ｂから操作レバー４２側に隣接した所定位置に、回転軸４４の回転により上下動するようになっている第３玉鎖５４が取り付けられる第３玉鎖取付部４６ｃが設けられており、第３玉鎖５４の下端は、後述する切替弁５６の第３玉鎖取付部５６ａに取り付けられている。
【００２６】
また、操作レバー４２を一方に回動させると、玉鎖引き上げ部材４６が回転軸４４と共に所定方向に回動し、第２玉鎖５０及び第３玉鎖５４が弛んだ状態で第１玉鎖４８のみが玉鎖引き上げ部材４６によって引き上げられ、切替弁５６が開弁した状態のままフロート部材５２と共に後述する弁体８４が上昇し、後述する便器の大洗浄モードによる排水が開始されるようになっている。
一方、操作レバー４２を他方に回動させると、第１玉鎖４８が弛んだ状態で第２玉鎖５０及び第３玉鎖５４が玉鎖引き上げ部材４６によって引き上げられ、フロート部材５２及び弁体８４が上昇すると共に切替弁５６が閉弁し、後述する便器の小洗浄モードによる排水が開始されるようになっている。
【００２７】
また、回転軸４４の中心軸線４４ａは、後述する排水弁ユニット５８の中心軸線５８ａを通過し、玉鎖引き上げ部材４６の第１玉鎖取付部４６ａと第２玉鎖取付部４６ｂとの間隔は、フロート部材５２の第１玉鎖取付部５２ａと第２玉鎖取付部５２ｂとの間隔とほぼ同一となるように設定されている。
【００２８】
排水弁装置２８は、図５に示すように、貯水タンク２２の底面に取り付けられ且つ便器本体２の導水路６に連通する排水口２２ａを形成する排水口ユニット６０と、この排水口ユニット６０の上端に取り付けられた排水弁ユニット５８と、排水口ユニット６０に上方から着脱可能に取り付けられた外側制御筒部材６２を備えている。
【００２９】
図５に示すように、排水弁装置２８の排水口ユニット６０は、貯水タンク２２の底面の所定位置に取り付けられて排水口２２ａを形成する排水口形成部材６４を備えている。
この排水口形成部材６４の下端部は、貯水タンク２２の底面を貫き、シール部材６６を介して締結部材６８によって締結され、排水口形成部材６４が貯水タンク２２の底面に固定されている。
【００３０】
また、排水口形成部材６４は、排水口２２ａの上縁を形成する排水口上縁部７０を備え、この排水口上縁部７０の外周の所定の対角位置には、外側制御筒部材６２が上方から着脱可能に取り付けられる取付用の保持突起７２が形成されている。
さらに、排水口形成部材６４の上端開口部７４の外周の所定の対角位置には、後述する排水弁ユニット６０の内側制御筒部材７６が上方から着脱可能に取り付けられる取付用の保持突起７８が形成されている。
また、排水口形成部材６４は、排水口上縁部７０と上端開口部７４との間に円周方向に沿って所定間隔を置いて上下方向に延びる複数のリブ８０を備え、これらのリブ８０により、内側制御筒部材７６の外側の洗浄水を排水口２２ａへ流入させるための複数の連通口８２が形成されている。
【００３１】
つぎに、図５に示すように、排水弁装置２８の排水弁ユニット５８は、弁体８４と、オーバーフロー管４０と、内側制御筒部材７６と、フロート部材５２と、オーバーフロー管取付部材８６と、リフィール管取付部材８８を備えている。
【００３２】
弁体８４は、シートパッキン等のシール部材からなり、図５に示すように、オーバーフロー管４０の下端部の弁体保持部４０ａにはめ込まれて固着され、オーバーフロー管４０と共に上下動して、排水口２２ａを開閉する排水弁として機能するようになっている。
【００３３】
内側制御筒部材７６は、この弁体８４の上下動を制御するものとして機能するようになっており、洗浄水を貯水すると共に、この貯水された洗浄水を所定の流量で流出させる開口７６ａが側面に形成されたほぼ円筒状の貯水部７６ｂと、この貯水部７６ｂの底部の中央から上方に延びたほぼ円筒状のガイド部７６ｃと、貯水部７６ｂの下端部に形成されて排水口ユニット６０の排水口形成部材６４の保持突起７８に係合される１つ又は複数の係合溝７６ｄを備えている。この係合溝７６ｄは、ほぼＬ字形の鍵穴状の溝を形成し、制御筒取付用保持突起７８を下方から挿入可能した後、係合溝７６ｄを水平方向に移動させることにより制御筒取付用保持突起７８に係止可能となっている。
【００３４】
また、内側制御筒部材７６の貯水部７６ｂの開口７６ａには、詳細は後述する流量調節部材９２が取り付けられ、この流量調節部材９２の取り付け位置を上下方向に変更することにより開口７６ａの開口断面積を調節することができるようになっている。
【００３５】
また、フロート部材５２は、薄肉でほぼ円環状に形成して内側制御筒部材７６の貯水部７６ｂの内周側且つガイド部７６ｃの外周側に収容されるフロート部５２ｃと、このフロート部５２ｃの下端に取り付かれた底部５２ｄを備え、フロート部５２ｃの内側と底部５２ｄによって内部空間が形成されている。これらのフロート部５２ｃ及び底部５２ｄは、内側制御筒部材７６の貯水部７６ｂ内に洗浄水が貯水されている状態では、浮力作用により内側制御筒部材７６の貯水部７６ｂ内に浮かんだ状態で収容されており、内側制御筒部材７６の貯水部７６ｂ内の洗浄水の水位の低下に伴って、内側制御筒部材７６のガイド部７６ｃにガイドされて下降するようになっている。
さらに、フロート部材５２は、フロート部５２ｃの上端に固定されて所定距離上方に延びた後、半径方向内側にアーチ状に延びてオーバーフロー管４０の円筒部４０ｂの上端が取り付けられるオーバーフロー管取付部５２ｅを備えている。
【００３６】
また、オーバーフロー管４０の上下方向に円筒状に延びる円筒部４０ｂは、内側制御筒部材７６のガイド部７６ｃの内周側に挿入され、上下方向に摺動可能にガイドされている。
さらに、オーバーフロー管４０の円筒部４０ｂの上端は、フロート部材５２のオーバーフロー管取付部５２ｅに取り付けられて、オーバーフロー管取付部材８６によって固定される。
このオーバーフロー管取付部材８６は、実質的には、洗浄水タンク２２内の所定水位（満水水位）を超えた洗浄水が流入するオーバーフロー管４０の上端の流入口８６ａを形成している。
また、オーバーフロー管４０の上端の流入口８６ａは、オーバーフロー管４０の管径に対して滑らかに上方且つ外側に広がるラッパ形状となっており、洗浄水タンク２２内の所定水位（満水水位）を超えた洗浄水がオーバーフロー管４０によって洗浄水タンク２２の外部へより確実に排出されるようになっている。
【００３７】
さらに、リフィール管取付部材８８が、上述したリフィール管３８の下流端が接続されるノズル部８８ａを備え、このノズル部８８ａの下端部の開口は、オーバーフロー管４０の流入口８６ａの上方に位置している。
【００３８】
つぎに、図５に示すように、外側制御筒部材６２は、横断面形状がほぼ矩形状に形成されて上方が開放された筒体本体９０を備えている。この筒体本体９０の下端部は、排水口ユニット６０の排水口形成部材６４を上下方向に挿入可能な開口を形成し、筒体本体９０の下端部の周縁には、筒体本体９０をその中心軸線（排水弁ユニット５８の中心軸線５８ａに相当）を中心に回転させることにより、排水口ユニット６０の排水口形成部材６４の保持突起７２に着脱可能な１つ又は複数の係合溝９０ａが設けられている。
この係合溝９０ａは、ほぼＬ字形の鍵穴状の溝を形成し、保持突起７２を下方から挿入可能した後、係合溝９０ａを水平方向に移動させることにより保持突起７２に係止可能となっている。
【００３９】
また、筒体本体９０の係合溝９０ａが排水口ユニット６０の排水口形成部材６４の保持突起７２に係合された状態では、操作レバー４２に近位する側の筒体本体９０の側壁９０ｂ（以下「近位側側壁９０ｂ」）が、排水口ユニット６０及び内側制御筒部材７６の一部を取り囲むように洗浄水タンク２２の底面から上方に延びており、この筒体本体９０の近位側側壁９０ｂには、この近位側側壁９０ｂを貫く洗浄モード切替用の開口部９０ｃが形成されている。
【００４０】
さらに、筒体本体９０の近位側側壁９０ｂには、開口部９０ｃを開閉可能とする切替弁５６（詳細は後述する）が取り付けられており、この切替弁５６には、錘５６ｂが着脱可能に取り付けられている。そして、切替弁５６が開口部９０ｃを開放した状態では、大洗浄モードによる排水が行われ、切替弁５６が開口部９０ｃを閉鎖した状態では、小洗浄モードによる排水が行われるようになっている。
【００４１】
また、筒体本体９０の近位側側壁９０ｂにおける開口部９０ｃの上方には、流量調節用の近位側開口部９０ｄが形成され、これらの近位側開口部９０ｄには、詳細は後述する近位側流量調節部材９４が取り付けられている。
同様に、筒体本体９０の近位側側壁９０ｂと対向する側壁９０ｂ’（以下「遠位側側壁９０ｄ’」）にも、流量調節用の遠位側開口部９０ｄ’が形成され、これらの遠位側開口部９０ｄ’には、詳細は後述する遠位側流量調節部材９６が取り付けられている。
これらの近位側流量調節部材９４及び遠位側流量調節部材９６のそれぞれの取り付け位置を上下方向に変更し、それぞれに対応する開口部９０ｄ，９０ｄ’の開口断面積を調節することにより、小洗浄モードにおいて貯水タンク２２内の洗浄水が筒体本体９０の開口部９０ｄ，９０ｄ’から筒体本体９０の内部へ流入する洗浄水の流量を調節することができ、洗浄水タンク２２の外部へ流出される洗浄水量を調節することができるようになっている。
【００４２】
さらに、図５に示すように、内側制御筒部材７６の係合溝７６ｄが排水口ユニット６０の排水口形成部材６４の制御筒取付用保持突起７８に係合され、且つ筒体本体９０の係合溝９０ａが排水口ユニット６０の排水口形成部材６４の保持突起７２に係合された状態において、内側制御筒部材７６の底部から排水口２２ａまで延びた排水口形成部材６４の側面に形成された複数の連通口８２は、筒体本体９０の内部と排水口２２ａとを連通させる連通口となっており、筒体本体９０の洗浄モード切替用の開口部９０ｃは、これらの連通口８２の上端以下の高さ位置に配置されている。
【００４３】
また、大洗浄モード及び小洗浄モードによる排水開始直後の排水弁ユニット５８の弁体８４は、図４に鎖線で示す弁体８４のように、内側制御筒部材７６の底部に当接する所定の最高高さ位置まで上昇するようになっているが、この弁体８４の最高高さ位置は、筒体本体９０の洗浄モード切替用の開口部９０ｃの上端以上の高さ位置に設定されている。
さらに、図４に示すように、内側制御筒部材７６の貯水部７６ｂの開口７６ａについても、筒体本体９０の洗浄モード切替用の開口部９０ｃの上端以上の高さ位置に設定されている。
【００４４】
つぎに、図６〜図１０を参照して、排水弁装置２８の内側制御筒部材７６に取り付けられる流量調節部材９２の詳細について説明する。
図６は本発明の第１実施形態による洗浄水タンク装置の排水弁装置において外側制御筒部材を取り外した状態を示す斜視図であり、図７は本発明の第１実施形態による洗浄水タンク装置の排水弁装置において内側制御筒部材の開口部の開口断面積を調節する調節部材を示す拡大図である。
また、図８は本発明の第１実施形態による洗浄水タンク装置の排水弁装置において内側制御筒部材に取り付けられた調節部材を示す正面側拡大図であり、図９は本発明の第１実施形態による洗浄水タンク装置の排水弁装置において内側制御筒部材の調節部材を示す背面側拡大図であり、図１０は図７のＸ−Ｘ線に沿って見た断面図である。
【００４５】
図６〜図１０に示すように、内側制御筒部材７６及び流量調節部材９２の各々は、互いが嵌合する嵌合部９８，１００をそれぞれ備えており、内側制御筒部材７６の嵌合部９８は雌側の嵌合部（以下「雌側嵌合部９８」）となり、流量調節部材９２の嵌合部１００は、内側制御筒部材７６の雌側の嵌合部９８に嵌合可能な雄側の嵌合部（以下「雄側嵌合部１００」）となっている。
また、内側制御筒部材７６の雌側嵌合部９８は、内側制御筒部材７６の開口７６ａの両側の壁部７６ｅに一体に設けられ、流量調節部材９２の取付位置を位置決めする複数の位置決め用凹部９８ａを備えている。これらの複数の位置決め用凹部９８ａの各々は、内側制御筒部材７６の壁部７６ｅの内方に凹んでおり、上下方向にほぼ直線的に配列されている。
なお、複数の位置決め用凹部９８ａの各々については、内側制御筒部材７６の開口７６ａの上下両側の壁部７６ｅに左右方向にほぼ直線的に配列させ、左右方向に流量調節部材９２を位置決め可能としてよい。
【００４６】
流量調節部材９２は、これを内側制御筒部材７６の所定の取付位置に取り付けたときに内側制御筒部材７６の開口７６ａを遮蔽する遮蔽部９２ａを備えている。図７に示す流量調節部材９２の取付位置の状態では、遮蔽部９２ａが内側制御筒部材７６の開口７６ａのほぼ半分の高さ位置から上方の開口領域を遮蔽している状態となっている。
また、流量調節部材９２の雄側嵌合部１００は、特に、図１０に示すように、遮蔽部９２ａの両側側部に上下方向に所定間隔を置いて設けられ、内側制御筒部材７６の雌側嵌合部９８の位置決め用凹部９８ａに嵌合可能な鉤爪状突起１００ａを備えている。
例えば、これらの流量調節部材９２の鉤爪状突起１００ａを内側制御筒部材７６の位置決め用凹部９８ａに取り付ける取付位置を上方に設定する程、内側制御筒部材７６の開口７６ａの開口断面積が大きくなり、排水弁装置２８の排水動作時に内側制御筒部材７６の貯水部７６ｂ内の洗浄水が開口７６ａから流出する流量が多くなり、排水時のフロート部５２ｃ及び弁体８４がより速く下降するようになっている。
【００４７】
さらに、内側制御筒部材７６の雌側嵌合部９８の複数の位置決め用凹部９８ａの凹部内における上下方向の間隔ｄ１は、いずれも等しく、内側制御筒部材７６の雌側嵌合部９８の位置決め用凹部９８ａに流量調節部材９２の雄側嵌合部１００の鉤爪状突起１００ａを嵌合させた状態では、施工者の手指による両嵌合部９８，１００の嵌合解除操作が不可能となるように、施工者の手指の幅よりも小さく設定されるのが好ましい。
すなわち、位置決め用凹部９８ａの凹部内の上下方向の間隔ｄ１については、１３ｍｍ以下に設定することが好ましく、５ｍｍ以下に設定することがより好ましい。
【００４８】
なお、本実施形態おいては、排水弁装置２８の内側制御筒部材７６と流量調節部材９２との嵌合については、一例として、内側制御筒部材７６の嵌合部９８を雌側嵌合部とし、流量調節部材９２の嵌合部１００を雄側嵌合部としている形態について説明したが、このような形態に限定されず、内側制御筒部材７６の嵌合部９８を雄側嵌合部とし、流量調節部材９２の嵌合部１００を雌側嵌合部とするような形態にしてもよい。
【００４９】
つぎに、図１１〜図１６を参照して、排水弁装置２８の外側制御筒部材６２とこの外側制御筒部材６２に取り付けられる近位側流量調節部材９４及び遠位側流量調節部材９６の詳細について説明する。
図１１は、本発明の第１実施形態による洗浄水タンク装置の排水弁装置を後方斜め上方から見た斜視図であり、図１２は、本発明の第１実施形態による洗浄水タンク装置の排水弁装置を示す正面図である。
また、図１３は、本発明の第１実施形態による洗浄水タンク装置の排水弁装置における外側制御筒部材の背面側の雌側嵌合部の位置決め用凹部と遠位側流量調節部材の雄側嵌合部のフレーム状突起との嵌合状態を示す拡大斜視図であり、図１４は、本発明の第１実施形態による洗浄水タンク装置の排水弁装置における外側制御筒部材の正面側の雌側嵌合部の位置決め用凹部と遠位側流量調節部材の雄側嵌合部の鉤爪状突起との嵌合状態を示す拡大斜視図である。
さらに、図１５は、本発明の第１実施形態による洗浄水タンク装置の排水弁装置における外側制御筒部材の背面側の雌側嵌合部の位置決め用凹部に遠位側流量調節部材の雄側嵌合部のフレーム状突起が嵌合された後、外側制御筒部材の正面側の雌側嵌合部の位置決め用凹部に遠位側流量調節部材の雄側嵌合部の鉤爪状突起が嵌合されるまでの状態を示す部分平面断面図である。
また、図１６は、本発明の第１実施形態による洗浄水タンク装置の排水弁装置における外側制御筒部材の正面側の雌側嵌合部の位置決め用凹部と遠位側流量調節部材の雄側嵌合部の鉤爪状突起との嵌合部分を示す拡大平面断面図である。
【００５０】
図５及び図１１〜図１６に示すように、外側制御筒部材６２の筒体本体９０の近位側側壁９０ｂに形成された近位側開口部９０ｄにおいては、開口断面形状が矩形形状であり且つ開口断面積が等しい２つの開口が前後方向に配置されている。
同様に、外側制御筒部材６２の筒体本体９０の遠位側側壁９０ｂ’に形成された遠位側開口部９０ｄ’においても、開口断面形状が矩形形状であり且つ開口断面積が等しい２つの開口が前後方向に配置されている。
また、近位側開口部９０ｄの両開口の上縁と遠位側開口部９０ｄ’の両開口の上縁とは、ほぼ等しい高さ位置にあるが、遠位側開口部９０ｄ’の両開口の下縁は、洗浄モード切替用の開口部９０ｃの上縁よりも上方、且つ近位側開口部９０ｄの両開口の下縁よりも下方に位置している。
したがって、両開口部９０ｄ，９０ｄ’の全開口断面を開口させた状態では、開口部９０ｄの全開口断面積が、開口部９０ｄ’の全開口断面積よりも小さくなるようになっている。
【００５１】
図５及び図１１〜図１６に示すように、外側制御筒部材６２は、筒体本体９０の近位側側壁９０ｂの正面側に一体に設けられ且つ近位側流量調節部材９４の雄側嵌合部１０２と嵌合する雌側嵌合部１０４と、筒体本体９０の背面側に設けられ且つ近位側流量調節部材９４の雄側嵌合部１０６と嵌合する雌側嵌合部１０８を備えている。
また、外側制御筒部材６２は、筒体本体９０の背面側に一体に設けられ且つ遠位側流量調節部材９６の雄側嵌合部１０２’と嵌合する雌側嵌合部１０４’と、筒体本体９０の遠位側側壁９０ｂ’の正面側に設けられ且つ遠位側流量調節部材９６の雄側嵌合部１０６’と嵌合する雌側嵌合部１０８’を備えている。
【００５２】
また、外側制御筒部材６２の雌側嵌合部１０４，１０８は、近位側流量調節部材９４の取付位置を位置決めする複数の位置決め用凹部１０４ａ，１０８ａをそれぞれ備えている。これらの複数の位置決め用凹部１０４ａ，１０８ａの各々は、外側制御筒部材６２の近位側側壁９２ｂの内方に凹んでおり、上下方向にほぼ直線的に配列されている。
同様に、外側制御筒部材６２の雌側嵌合部１０４’，１０８’は、遠位側流量調節部材９６の取付位置を位置決めする複数の位置決め用凹部１０４ａ’，１０８ａ’をそれぞれ備えている。これらの複数の位置決め用凹部１０４ａ’，１０８ａ’の各々は、外側制御筒部材６２の遠位側側壁９２ｂ’の内方に凹んでおり、上下方向にほぼ直線的に配列されている。
【００５３】
なお、外側制御筒部材６２の雌側嵌合部１０４の位置決め用凹部１０４ａと雌側嵌合部１０４’の位置決め用凹部１０４ａ’の各凹部の構成については、互いに同一の構成となっているが、位置決め用凹部１０４ａ’の個数が位置決め用凹部１０４ａの凹部の個数よりも多く配列されている。
また、外側制御筒部材６２の雌側嵌合部１０８の位置決め用凹部１０８ａと雌側嵌合部１０８’の位置決め用凹部１０８ａ’の各凹部の構成についても、互いに同一の構成となっているが、位置決め用凹部１０８ａ’の個数が位置決め用凹部１０８ａの凹部の個数よりも多く配列されている。
【００５４】
さらに、図４及び図１１〜図１４に示す近位側流量調節部材９４及び遠位側流量調節部材９６においては、外側制御筒部材６２に対するそれぞれの取り付け位置を最も下方の取付位置に設定したときの状態を示しているが、外側制御筒部材６２に対する近位側流量調節部材９４及び遠位側流量調節部材９６のそれぞれの取り付け位置を下方に設定する程、それぞれに対応する開口部９０ｄ，９０ｄ’の開口断面積が大きく設定されるようになっている。
そして、開口部９０ｄ，９０ｄ’の開口断面積が大きく設定される程、小洗浄モードにおける排水弁装置２８の排水動作時に貯水タンク２２内の洗浄水が筒体本体９０の開口部９０ｄ，９０ｄ’から筒体本体９０の内部へ流入する洗浄水の流量が多くなり、洗浄水タンク２２の排水口２２ａから便器本体２に供給される小洗浄モード時の洗浄水量を多く設定することができるようになっている。
ちなみに、外側制御筒部材６２に対する近位側流量調節部材９４及び遠位側流量調節部材９６のそれぞれの取り付け位置を最も上方に設定した場合には、開口部９０ｄ，９０ｄ’が近位側流量調節部材９４及び遠位側流量調節部材９６のそれぞれによって閉鎖され、排水弁装置２８の排水動作時に貯水タンク２２内の洗浄水が筒体本体９０の開口部９０ｄ，９０ｄ’から筒体本体９０の内部へ流入できなくなるため、洗浄水タンク２２の排水口２２ａから便器本体２に供給される小洗浄モード時の洗浄水量を最小に設定することができるようになっている。
【００５５】
近位側流量調節部材９４は、これを外側制御筒部材６２の所定の取付位置に取り付けたときに外側制御筒部材６２の近位側開口部９０ｄを遮蔽する遮蔽部９４ａを備えている。
また、近位側流量調節部材９４の雄側嵌合部１０２は、近位側流量調節部材９４の遮蔽部９４ａの正面側の側部に設けられて上下方向に延びる長穴１０２ａを形成するフレーム状突起１０２ｂを備えている。
さらに、近位側流量調節部材９４の雄側嵌合部１０６は、近位側流量調節部材９４の遮蔽部９４ａの背面側の側部に設けられて外側制御筒部材６２の雌側嵌合部１０８の位置決め用凹部１０８ａに嵌合可能な鉤爪状突起１０６ａを備えている。
【００５６】
同様に、遠位側流量調節部材９６は、これを外側制御筒部材６２の所定の取付位置に取り付けたときに外側制御筒部材６２の遠位側開口部９０ｄ’を遮蔽する遮蔽部９６ａを備えている。
また、遠位側流量調節部材９６の雄側嵌合部１０２’は、遠位側流量調節部材９６の遮蔽部９６ａの背面側の側部に設けられて上下方向に延びる長穴１０２ａ’を形成するフレーム状突起１０２ｂ’を備えている。
さらに、遠位側流量調節部材９６の雄側嵌合部１０６’は、遠位側流量調節部材９６の遮蔽部９６ａの正面側の側部に設けられて外側制御筒部材６２の雌側嵌合部１０８’の位置決め用凹部１０８ａ’に嵌合可能な鉤爪状突起１０６ａ’を備えている。
【００５７】
なお、近位側流量調節部材９４の遮蔽部９４ａの上下方向の長さＨは、遠位側流量調節部材９６の遮蔽部９６ａの上下方向の長さＨ’よりも短くなっているが、遮蔽部９４ａの前後方向の長さＬと遮蔽部９６ａの前後方向の長さＬ’は互いに等しくなっている。
また、近位側流量調節部材９４の雄側嵌合部１０２のフレーム状突起１０２ｂと遠位側流量調節部材９６の雄側嵌合部１０２’のフレーム状突起１０２ｂ’の構成については同一の構成となっており、近位側流量調節部材９４の雄側嵌合部１０６の鉤爪状突起１０６ａと遠位側流量調節部材９６の雄側嵌合部１０６’の鉤爪状突起１０６ａ’の構成についても同一の構成となっている。
【００５８】
したがって、以下、近位側流量調節部材９４の雄側嵌合部１０２のフレーム状突起１０２ｂと外側制御筒部材６２の雌側嵌合部１０４の位置決め用凹部１０４ａとの嵌合状態については、図１３に示されている遠位側流量調節部材９６の雄側嵌合部１０２’のフレーム状突起１０２ｂ’と外側制御筒部材６２の雌側嵌合部１０４’の位置決め用凹部１０４ａ’との嵌合状態と等しいため、説明を省略する。
また、近位側流量調節部材９４の雄側嵌合部１０６の鉤爪状突起１０６ａと外側制御筒部材６２の雌側嵌合部１０８の位置決め用凹部１０８ａとの嵌合状態についても、図１４に示されている遠位側流量調節部材９６の雄側嵌合部１０６’の鉤爪状突起１０６ａ’と外側制御筒部材６２の雌側嵌合部１０８’の位置決め用凹部１０８ａ’との嵌合状態と等しいため、説明を省略する。
【００５９】
図１３に示すように、遠位側流量調節部材９６の雄側嵌合部１０２’における上下方向に延びる長穴１０２ａ’を形成するフレーム状突起１０２ｂ’は、上端部１０２ｃ’と、下端部１０２ｄ’と、この下端部１０２ｄ’から上端部１０２ｃ’まで所定長さ上方に延びる柱部１０２ｅ’を備えている。
また、外側制御筒部材６２の雌側嵌合部１０４’が位置する筒体本体９０の角部には、内方から外側に向って突出し且つ外側制御筒部材６２の雌側嵌合部１０４’の各位置決め用凹部１０４ａ’を形成する複数の凹部形成突起１０４ｂ’が上下方向に複数配列されている。
ここで、各位置決め用凹部１０４ａ’内の上下方向の間隔ｄ２は、いずれも等しく、各凹部形成突起１０４ｂ’の隣接する突起間の上下方向の間隔に相当し、施工者の手指の幅よりも小さく設定されるのが好ましい。
すなわち、各位置決め用凹部１０４ａ’内の上下方向の間隔ｄ２については、１３ｍｍ以下に設定することが好ましく、５ｍｍ以下に設定することがより好ましい。
【００６０】
つぎに、図１３〜図１６を参照して、遠位側流量調節部材９６を外側制御筒部材６２に取り付ける工程について説明する。
図１３及び図１５に示すように、遠位側流量調節部材９６を外側制御筒部材６２に取り付ける際、まず、外側制御筒部材６２の雌側嵌合部１０４’の各位置決め用凹部１０４ａ’を形成する複数の凹部形成突起１０４ｂ’と筒体本体９０の背面側壁部９０ｅの側面９０ｆとの間に形成されて縦方向に延びる凹部９０ｇ内に遠位側流量調節部材９６のフレーム状突起１０２ｂ’の柱部１０２ｅ’を嵌め込む。
そして、遠位側流量調節部材９６について、柱部１０２ｅ’を中心に外側制御筒部材６２に向けて回動させることにより、遠位側流量調節部材９６のフレーム状突起１０２ｂ’の上端部１０２ｃ’及び下端部１０２ｄ’をそれぞれに対向する外側制御筒部材６２の雌側嵌合部１０４’の位置決め用凹部１０４ａ’内に嵌合させる。
【００６１】
つぎに、遠位側流量調節部材９６の雄側嵌合部１０６’の鉤爪状突起１０６ａ’をこれと対向する外側制御筒部材６２の雌側嵌合部１０８’の位置決め用凹部１０８ａ’内に挿入した後、鉤爪状突起１０６ａ’の先端部１０６ｂ’を位置決め用凹部１０８ａ’内に形成された凹部１０８ｂ’内に嵌め込むことにより、外側制御筒部材６２への遠位側流量調節部材９６の取り付けが完了する。
なお、各位置決め用凹部１０８ａ’内の上下方向の間隔ｄ３は、いずれも等しく、施工者の手指の幅よりも小さく設定されるのが好ましい。
すなわち、各位置決め用凹部１０８ａ’内の上下方向の間隔ｄ３については、１３ｍｍ以下に設定することが好ましく、５ｍｍ以下に設定することがより好ましい。
【００６２】
なお、本実施形態おいては、排水弁装置２８の外側制御筒部材６２と近位側流量調節部材９４との嵌合及び外側制御筒部材６２と遠位側流量調節部材９６との嵌合については、一例として、外側制御筒部材６２の嵌合部１０４，１０４’，１０８，１０８’のそれぞれを雌側嵌合部とし、近位側流量調節部材９４の嵌合部１０２，１０６及び遠位側流量調節部材９４の嵌合部１０２’，１０６’のそれぞれを雄側嵌合部としている形態について説明したが、このような形態に限定されず、雌側嵌合部と雄側嵌合部の雌雄を入れ替えた形態にしてもよい。
【００６３】
また、本実施形態おいては、近位側流量調節部材９４の両側の雄側嵌合部１０２，１０６、及び、遠位側流量調節部材９４の両側の嵌合部１０２’，１０６’については、一例として、一方の雄側嵌合部１０２，１０２’をフレーム状突起１０２ｂ，１０２ｂ’とし、他方の雄側嵌合部１０６，１０６’を鉤爪状突起１０６ａ，１０６ａ’として、片側ずつ互いに異なる形態の突起を備えた形態について説明したが、このような形態に限定されず、近位側流量調節部材９４の両側の嵌合部１０２’，１０６’及び遠位側流量調節部材９４の両側の嵌合部１０２’，１０６’を同一の鉤爪状突起のような形態にしてもよい。
【００６４】
つぎに、図５、図１７及び図１８を参照して、排水弁装置２８の外側制御筒部材６２の切替弁５６の詳細について説明する。
図１７（ａ）は、本発明の第１実施形態による洗浄水タンク装置の排水弁装置の切替弁における錘の取り付け前の状態を示す斜視図であり、図１７（ｂ）は、本発明の第１実施形態による洗浄水タンク装置の排水弁装置の切替弁における錘の取り付け中の状態を示す斜視図であり、図１７（ｃ）は、本発明の第１実施形態による洗浄水タンク装置の排水弁装置の切替弁における錘の取り付け完了後の状態を示す斜視図である。
また、図１８は、本発明の第１実施形態による洗浄水タンク装置の排水弁装置における切替弁を示す正面図である。
【００６５】
図５、図１２、図１７及び図１８に示すように、外側制御筒部材６２の切替弁５６は、筒体本体９０の近位側側壁９０ｂに取り付けられて開口部９０ｃを開閉可能とする樹脂製の切替弁本体５６ｃと、水平方向に延びた薄板状のステンレス製の錘５６ｂと、切替弁本体５６ｃの外面に設けられて上記錘が着脱可能に取り付けられる錘取付部５６ｄを備えている。
また、切替弁本体５６ｃは、外側制御筒部材６２の筒体本体９０の開口部９０ｃを形成する近位側側壁９０ｂの前側下端部と後側下端部のそれぞれに設けられた一対のヒンジ部９０ｈに回動可能に取り付けられるヒンジ部５６ｅを備えている。この切替弁本体５６ｃのヒンジ部５６ｅが筒体本体９０のヒンジ部９０ｈを中心に回動することにより、切替弁本体５６ｃが、起立して筒体本体９０の開口部９０ｃを閉鎖した状態である所定の上方位置から、筒体本体９０の近位側側壁９０ｂの外側に回動して筒体本体９０の開口部９０ｃを開放した状態である所定の下方位置まで回動可能となっている。
【００６６】
さらに、錘取付部５６ｄは、錘５６ｂの上端及び下端をそれぞれ支持する上側支持部５６ｆ及び下側支持部５６ｇと、これらの支持部５６ｆ，５６ｇの前方に設けられて錘５６ｂを前後方向に固定する弾性留め具であるスナップフィット１１０と、を備えている。
このスナップフィット１１０は、錘５６ｂを錘取付部５６ｄに取り付ける際には、切替弁本体５６ｃとスナップフィット１１０との間に錘５６ｂを上方から挿入することにより（図１７（ａ）参照）、錘５６ｂの一部が切替弁本体５６ｃとスナップフィット１１０によって挟持されるようになっている（図１７（ｂ）参照）。また、この錘５６ｂの一部が切替弁本体５６ｃとスナップフィット１１０によって挟持された状態では、錘５６ｂが切替弁本体５６ｃとスナップフィット１１０との間を前後方向に通過可能にすると共に、この通過途中の錘５６ｂに対して弾性的に接触する弾性接触手段として機能するようになっている。
【００６７】
また、スナップフィット１１０は、切替弁本体５６ｃの外面の下端近傍部分から外側に所定長さ突出した基端部１１０ａと、この基端部１１０ａから切替弁本体５６ｃの外面と所定間隔を置いて所定長さ上方に延びた先端部１１０ｂを備えている。
さらに、スナップフィット１１０は、基端部１１０ａから先端部１１０ｂまで延びる弾性変形部１１０ｃを備え、この弾性変形部１１０ｃは、錘５６ｂを錘取付部５６ｄに取り付ける際に、基端部１１０ａ及び先端部１１０ｂをそれぞれ固定端及び自由端とし、切替弁本体５６ｃの外面の面外方向への弾性的な曲げ変形が可能となっており、この曲げ変形により、錘５６ｂが切替弁本体５６ｃとスナップフィット１１０との間を前後方向に通過可能となっている。
【００６８】
また、弾性変形部１１０ｃは、先端部１１０ｂから切替弁本体５６ｃの外面に向って突出する突起１１０ｄを備えている。錘５６ｂの錘取付部への取り付け時の錘５６ｂは、切替弁本体５６ｃとスナップフィット１１０との間を前後方向に通過する際に、弾性変形部１１０ｃによる切替弁本体５６ｃの外面の面外方向への弾性的な曲げ変形が行われた状態で、錘５６ｂの外側表面５６ｈと突起１１０ｄとが弾性的に接触しながら前後方向に移動可能となっている。
なお、図１８においては、錘５６ｂが切替弁本体５６ｃとスナップフィット１１０との間を通過中に、弾性変形部１１０ｃによる切替弁本体５６ｃの外面の面外方向への弾性的な曲げ変形が行われている状態のスナップフィット１１０を仮想線Ａで示している。
【００６９】
さらに、図１７（ｃ）及び図１８に示すように、錘５６ｂの全体が上側支持部５６ｆと下側支持部５６ｇとの間に完全に挿入され、錘５６ｂの外側表面５６ｈと突起１１０ｄの弾性的な接触が解除され、錘５６ｂの錘取付部５６ｄへの取り付けが完了するようになっている。
錘５６ｂの錘取付部５６ｄへの取り付けが完了した状態では、上述した弾性変形部１１０ｃによる弾性的な曲げ変形が戻り、錘５６ｂの前端面５６ｉとスナップフィット１１０の弾性変形部１１０ｃの後側（錘側）の端面１１０ｅが互いに当接し、錘５６ｂがスナップフィット１１０によって前後方向に固定された状態になっている。
【００７０】
つぎに、図５〜図２０を参照して、本発明の第１実施形態による排水弁装置及びそれを備えた洗浄水タンク装置の動作（作用）を説明する。
ここで、図１９（ａ）は、本発明の第１実施形態による洗浄水タンク装置の大洗浄モードにおける排水開始前の状態の排水弁装置を示す正面断面図であり、図１９（ｂ）は、本発明の第１実施形態による洗浄水タンク装置の大洗浄モードにおける排水開始直後の状態の排水弁装置を示す正面断面図であり、図１９（ｃ）は、本発明の第１実施形態による洗浄水タンク装置の大洗浄モードにおける排水途中の状態の排水弁装置を示す正面断面図であり、図１９（ｄ）は、本発明の第１実施形態による洗浄水タンク装置の大洗浄モードにおける排水終了後の状態の排水弁装置を示す正面断面図である。
また、図２０（ａ）は、本発明の第１実施形態による洗浄水タンク装置の小洗浄モードにおける排水開始前の状態の排水弁装置を示す正面断面図であり、図２０（ｂ）は、本発明の第１実施形態による洗浄水タンク装置の小洗浄モードにおける排水開始直後の状態の排水弁装置を示す正面断面図であり、図２０（ｃ）は、本発明の第１実施形態による洗浄水タンク装置の小洗浄モードにおける排水途中の状態の排水弁装置を示す正面断面図であり、図２０（ｄ）は、本発明の第１実施形態による洗浄水タンク装置の小洗浄モードにおける排水終了後の状態の排水弁装置を示す正面断面図である。
【００７１】
ここで、図１９及び図２０においては、洗浄水の流れを矢印で概略的に示している。
また、以下で説明する大洗浄及び小洗浄の各洗浄モードのいずれについても、内側制御筒部材７６に取り付けられている流量調節部材９２については、図７にも示されているように流量調節部材９２の遮蔽部９２ａが内側制御筒部材７６の開口７６ａのほぼ半分の高さ位置から上方の開口領域を遮蔽している状態となっている。
さらに、以下で説明する大洗浄及び小洗浄の各洗浄モードのいずれについても、外側制御筒部材６２に取り付けられている近位側流量調節部材９４及び遠位側流量調節部材９６については、筒体本体９０に対して最も下方の取付位置に取り付けられた状態であり、それぞれに対応する筒体本体９０の流量調節用の近位側開口部９０ｄ及び遠位側開口部９０ｄ’がほぼ開口全域が開放された状態となっている。すなわち、遠位側流量調節部材９６の上縁が近位側流量調節部材９４の上縁よりも下方に位置しているため、遠位側流量調節部材９６によって開放された遠位側開口部９０ｄ’の開口領域の下縁は、近位側流量調節部材９４によって開放された近位側開口部９０ｄの開口領域の下縁よりも下方且つ洗浄モード切替用の開口部９０ｃの上縁よりも上方に位置している。
【００７２】
まず、図１９（ａ）〜（ｄ）により、本発明の第１実施形態による洗浄水タンク装置により実行される２種類の洗浄モードのうちの大洗浄モードについて説明する。
図１９（ａ）に示されるような大洗浄モードにおける排水が開始される前の状態の排水弁装置２８においては、第１玉鎖４８及び第２玉鎖５０の双方が上下方向にほぼ直線状に伸ばされた状態となっている。このとき、切替弁５６については、錘５６ｂを加えた切替弁５６自体の自重により、第３玉鎖５４が弛んだ状態となり、外側制御筒部材６２の筒体本体９０の洗浄モード切替用の開口部９０ｃを開放した状態となっている。
また、貯水タンク２２内の水位は、満水時の止水水位ＷＬ０となり、内側制御筒部材７６の上端よりも上方且つオーバーフロー管４０の流入口８６ａよりも下方に位置しており、外側制御筒部材６２の筒体本体９０の内部及び内側制御筒部材７６の貯水部７６ｂの内部は、洗浄水で満たされている。
【００７３】
つぎに、図１９（ｂ）に示すように、大洗浄モードにおける排水が開始された直後の状態の排水弁装置２８においては、使用者が操作レバー４２（図２〜図４参照）を手前側（正面側）に所定角度（例えば、９０度）回転させると、玉鎖引き上げ部材４６が回転軸４４と共に回動し、第１玉鎖４８が上下方向にほぼ直線状に伸ばされた状態で、第２玉鎖５０が弛んだ状態となる。また、第３玉鎖５４も弛んだ状態となり、切替弁５６が筒体本体９０の開口部９０ｃを開放したままの状態となる。
【００７４】
このとき、玉鎖引き上げ部材４６の第１玉鎖取付部４６ａの位置は、図１９（ａ）に示す排水開始前の状態よりも上昇するため、第１玉鎖４８のみが玉鎖引き上げ部材４６の第１玉鎖取付部４６ａによって引き上げられることにより、フロート部材５２が上昇し、このフロート部材５２の上昇と共に、オーバーフロー管４０及び弁体８４が一体的に上昇する。
また、弁体８４は、内側制御筒部材７６の底部に当接し、外側制御筒部材６２の筒体本体９０の開口部９０ｃの上端以上の高さ位置となる最高高さ位置に位置し、引き上げが完了した状態となっており、切替弁５６が筒体本体９０の開口部９０ｃを開放したままの状態で、排水口２２ａが開放され、排水が開始される。
【００７５】
また、貯水タンク２２内の外側制御筒部材６２の筒体本体９０の外側の領域の洗浄水は、切替弁５６、近位側流量調節部材９４、及び遠位側流量調節部材９６のそれぞれによって開放された筒体本体９０開口部９０ｃ，９０ｄ，９０ｄ’と筒体本体９０の上方から筒体本体９０内に流入し、内側制御筒部材７６の貯水部７６ｂ内の洗浄水は、開口７６ａから筒体本体９０内に流入する。そして、筒体本体９０内の洗浄水は、排水口ユニット６０の連通口８２を通過し、排水口２２ａから便器本体２の導水路６に排出され、貯水タンク２２内の水位ＷＬ１は、図１９（ｂ）に示すように、排水によって満水時の止水水位ＷＬ０よりも低下し、例えば、筒体本体９０の上端よりも上方且つ内側制御筒部材７６の上端よりも下方に位置している。
しかしながら、筒体本体９０の外側の領域から連通口８２を経て排水口２２ａに流れ込む流速は、内側制御筒部材７６の貯水部７６ｂ内から開口７６ａを経て筒体本体９０内に流入する流速よりも速いため、内側制御筒部材７６の貯水部７６ｂ内の水位ＷＬ１’は、貯水タンク２２内の水位ＷＬ１よりも高く且つ止水水位ＷＬ０よりも低い状態となる。
【００７６】
つぎに、図１９（ｃ）に示すように、大洗浄モードにおける排水途中の状態の排水弁装置２８においては、第１玉鎖４８、フロート部材５２及び弁体８４の引き上げが完了した直後に操作レバー４２が初期位置に戻されているため、フロート部材５２が、内側制御筒部材７６の貯水部７６ｂ内の洗浄水よって与えられる浮力によって浮いた状態となっており、第１玉鎖４８及び第２玉鎖５０が弛んだ状態となっている。
そして、貯水タンク２２内の水位が、図１９（ｂ）に示す水位ＷＬ１から時間と共に低下し、筒体本体９０に取り付けられた遠位側流量調節部材９６の上縁（筒体本体９０の遠位側開口部９０ｄ’の下縁）に達した後も、貯水タンク２２内と筒体本体９０内が開口部９０ｃで連通している。このため、貯水タンク２２内の水位と筒体本体９０内の水位が同一の水位ＷＬ２で低下し、この水位ＷＬ２が時間と共に内側制御筒部材７６の貯水部７６ｂの開口７６ａの上端よりも低下すると、内側制御筒部材７６の貯水部７６ｂの開口７６ａから流出する貯水部７６ｂ内の洗浄水の流量に応じた所定の速度で内側制御筒部材７６の貯水部７６ｂ内の水位ＷＬ２’が低下し始める。
【００７７】
また、図１９（ｃ）に示す内側制御筒部材７６の貯水部７６ｂ内の水位ＷＬ２’の低下に伴ってフロート部材５２も下降し、このフロート部材５２の下降に連動してオーバーフロー管４０及び弁体８４も、フロート部材５２の下降速度と同じ速度で下降する。
ちなみに、流量調節部材９２の鉤爪状突起１００ａを内側制御筒部材７６の位置決め用凹部９８ａに取り付ける取付位置を上方に設定する程、内側制御筒部材７６の開口７６ａの開口断面積が大きくなり、排水弁装置２８の排水動作時に内側制御筒部材７６の貯水部７６ｂ内の洗浄水が開口７６ａから流出する流量が多くなるため、排水時のフロート部５２ｃ及び弁体８４がより速く下降する。したがって、弁体８４が排水口２２ａを開放している時間（開弁時間）が短くなり、洗浄水タンク装置１８から便器本体２へ供給される洗浄水量が少なくなる。
【００７８】
つぎに、図１９（ｄ）に示すように、大洗浄モードにおける排水終了時の排水弁装置２８においては、図１９（ｃ）に示す内側制御筒部材７６の貯水部７６ｂ内の水位ＷＬ２’がフロート部材５２に浮力を与えない水位（すなわち、ＷＬ２’がほぼ零）まで低下して、フロート部５２ｃの底部５２ｄが貯水部７６ｂの底部に到達したとき、弁体８４が排水口２２ａを閉鎖し、排水が終了する。
このとき、貯水タンク２２内と筒体本体９０内の水位は、図１９（ｃ）に示す水位ＷＬ２よりも低い死水水位ＤＷＬとなる。
【００７９】
つぎに、図２０（ａ）〜（ｄ）により、本発明の第１実施形態による洗浄水タンク装置により実行される小洗浄モードについて説明する。
まず、図２０（ａ）に示されるような小洗浄モードにおける排水が開始される前の状態の排水弁装置２８においては、上述した図１９（ａ）に示されている大洗浄モードの場合と同様であるため、説明は省略する。
【００８０】
つぎに、図２０（ｂ）に示すように、小洗浄モードにおける排水が開始された直後の状態の排水弁装置２８においては、使用者が操作レバー４２を奥側（背面側）に所定角度（例えば、９０度）回転させると、玉鎖引き上げ部材４６が回転軸４４と共に回動し、玉鎖引き上げ部材４６が回転軸４４と共に回動し、第２玉鎖５０及び第３玉鎖５４が上下方向にほぼ直線状に伸ばされた状態で、第１玉鎖４８が弛んだ状態となる。
【００８１】
また、図２０（ｂ）に示すように、玉鎖引き上げ部材４６の第２玉鎖取付部４６ｂの位置は、図２０（ａ）に示す排水開始前の状態よりも上昇するため、第２玉鎖５０が玉鎖引き上げ部材４６の第２玉鎖取付部４６ｂによって引き上げられることにより、フロート部材５２が上昇し、このフロート部材５２の上昇と共に、オーバーフロー管４０及び弁体８４が一体的に上昇する。
同時に、第３玉鎖５４についても、玉鎖引き上げ部材４６の第３玉鎖取付部４６ｃによって引き上げられ、切替弁５６の第３玉鎖取付部５６ｂも上方に引き上げられて筒体本体９０の開口部９０ｃが切替弁５６によって閉鎖される。
【００８２】
このとき、弁体８４は、内側制御筒部材７６の底部に当接し、筒体本体９０の開口部９０ｃの上端以上の高さ位置となる最高高さ位置に位置し、引き上げが完了した状態となっており、切替弁５６が筒体本体９０の開口部９０ｃを閉鎖した状態で、排水口２２ａが開放され、排水が開始される。
【００８３】
また、図２０（ｂ）に示すように、排水開始後、筒体本体９０の内部の洗浄水が筒体本体９０の外部の洗浄水よりも先に排水口２２ａから排出されるため、筒体本体９０の内部を流れる洗浄水の流速が、筒体本体９０の外部を流れる洗浄水の流速より相対的に大きくなり、切替弁５６の外側の水圧が内側の水圧よりも高くなり、切替弁５６の内外で水圧の差圧が生じる。そして、この差圧により、切替弁５６には、筒体本体９０の開口部９０ｃを閉鎖する方向の力Ｆが加わるため、切替弁５６が閉弁状態に保持される。
【００８４】
さらに、図２０（ｂ）に示すように、貯水タンク２２内の筒体本体９０の外側の領域の洗浄水は、近位側流量調節部材９４及び遠位側流量調節部材９６のそれぞれによって開放された筒体本体９０開口部９０ｄ，９０ｄ’と筒体本体９０の上方から筒体本体９０内に流入するが、切替弁５６によって閉鎖された開口部９０ｃから筒体本体９０内に流入することはない。
したがって、筒体本体９０内の洗浄水は、排水口ユニット６０の連通口８２を通過し、排水口２２ａから便器本体２の導水路６に排出され、貯水タンク２２内の図２０（ｂ）に示す水位ＷＬ３は、排水によって満水時の止水水位ＷＬ０よりも低下し、最終的には、図２０（ｃ）及び図２０（ｄ）に示すように、遠位側流量調節部材９６の上縁（筒体本体９０の遠位側開口部９０ｄ’の下縁）の高さ位置と等しい水位ＷＬ４，ＷＬ５に留まることになる。
【００８５】
また、内側制御筒部材７６の貯水部７６ｂ内の洗浄水は、開口７６ａから筒体本体９０内に流入する。筒体本体９０の外側の領域から連通口８２を経て排水口２２ａに流れ込む流速は、内側制御筒部材７６の貯水部７６ｂ内から開口７６ａを経て筒体本体９０内に流入する流速よりも速いため、内側制御筒部材７６の貯水部７６ｂ内の水位ＷＬ３’は、図２０（ｂ）に示すように、貯水タンク２２内の水位ＷＬ３よりも高く且つ止水水位ＷＬ０よりも低い状態となる。
【００８６】
つぎに、図２０（ｃ）に示すように、小洗浄モードにおける排水途中の状態の排水弁装置２８においては、図２０（ｂ）に示す第２玉鎖５０、第３玉鎖５４、フロート部材５２及び弁体８４の引き上げが完了した直後に操作レバー４２が初期位置に戻されているため、フロート部材５２が、内側制御筒部材７６の貯水部７６ｂ内の洗浄水よって与えられる浮力によって浮いた状態となっており、第１玉鎖４８、第２玉鎖５０及び第３玉鎖５４が弛んだ状態となっている。
しかしながら、第３玉鎖５４が弛んでいても、上述した切替弁５６の内外で水圧の差圧によって切替弁５６に筒体本体９０の開口部９０ｃを閉鎖する方向の力Ｆが加わった状態となっているため、切替弁５６が閉弁状態に保持されている。
【００８７】
また、図２０（ｃ）に示すように、貯水タンク２２内の水位ＷＬ４が、図２０（ｂ）に示す水位ＷＬ３から時間と共に低下し、遠位側流量調節部材９６の上縁（筒体本体９０の遠位側開口部９０ｄ’の下縁）付近まで低下した時点で、筒体本体９０内の洗浄水が急激に連通口８２を経て排水口２２ａから排出されるようになる。
このとき、筒体本体９０内の水位ＷＬ４”が時間と共に内側制御筒部材７６の貯水部７６ｂの開口７６ａの上端よりも低下すると、内側制御筒部材７６の貯水部７６ｂの開口７６ａから流出する貯水部７６ｂ内の洗浄水の流量に応じた所定の速度で内側制御筒部材７６の貯水部７６ｂ内の水位ＷＬ４’が低下し始める。
【００８８】
また、図２０（ｃ）に示す内側制御筒部材７６の貯水部７６ｂ内の水位ＷＬ４’の低下に伴ってフロート部材５２も下降し、このフロート部材５２の下降に連動してオーバーフロー管４０及び弁体８４も、フロート部材５２の下降速度と同じ速度で下降する。
さらに、図２０（ｂ）と同様に、切替弁５６の内外で水圧の差圧によって切替弁５６に筒体本体９０の開口部９０ｃを閉鎖する方向の力Ｆが加わった状態となっているため、切替弁５６が閉弁状態に保持されている。
【００８９】
つぎに、図２０（ｄ）に示すように、小洗浄モードにおける排水終了時の排水弁装置２８においては、内側制御筒部材７６の貯水部７６ｂ内の水位ＷＬ５’がフロート部材５２に浮力を与えない水位（すなわち、ＷＬ５’がほぼ零）まで低下して、フロート部５２ｃの底部５２ｄが貯水部７６ｂの底部に到達したとき、弁体８４が排水口２２ａを閉鎖し、排水が終了する。
このとき、貯水タンク２２内の水位ＷＬ５は、図２０（ｃ）に示す水位ＷＬ４と同一であり、実質的な貯水タンク２２内の死水水位ＤＷＬ’となる。
一方、筒体本体９０内の水位ＷＬ５”は、図２０（ｃ）に示すＷＬ４”よりも低下し、実質的な筒体本体９０内の死水水位ＤＷＬ”となる。
また、図２０（ｂ）及び（ｃ）と同様に、切替弁５６の内外で水圧の差圧によって切替弁５６に筒体本体９０の開口部９０ｃを閉鎖する方向の力Ｆが加わった状態となっているため、切替弁５６が閉弁状態に保持されている。
【００９０】
このように、小洗浄モードにおいて、排水開始後、切替弁５６が筒体本体９０の開口部９０ｃを閉鎖した状態に保持されるため、排水口２２ａから排出される洗浄水の流量は、大洗浄モードの場合に比べて、貯水タンク２２の洗浄水が筒体本体９０の外側から開口部９０ｃを通過して排水口２２ａから排出される洗浄水の流量分だけ少なくなる。
ちなみに、本実施形態においては、外側制御筒部材６２に対する近位側流量調節部材９４及び遠位側流量調節部材９６のそれぞれの取り付け位置を最も下方に設定した場合について説明しているが、外側制御筒部材６２に対する近位側流量調節部材９４及び遠位側流量調節部材９６のそれぞれの取り付け位置を上方に設定する程、近位側流量調節部材９４及び遠位側流量調節部材９６のそれぞれによって開放されている開口部９０ｄ，９０ｄ’の開口面積が小さくなり、排水弁装置２８の排水動作時に貯水タンク２２内の洗浄水が筒体本体９０の開口部９０ｄ，９０ｄ’から筒体本体９０の内部へ流入できなくなるため、洗浄水タンク２２の排水口２２ａから便器本体２に供給される小洗浄モード時の洗浄水量を少なくなる。
【００９１】
上述した本発明の第１実施形態による排水弁装置２８及びそれを備えた洗浄水タンク装置１８によれば、流量調節部材９２の雄側嵌合部１００が嵌合される内側制御筒部材７６の雌側嵌合部９８における位置決め用凹部９８ａの凹部内の上下方向の間隔ｄ１が施工者の手指の幅よりも小さく設定されている。また、近位側流量調節部材９４の雄側嵌合部１０２が嵌合される外側制御筒部材６２の雌側嵌合部１０４における位置決め用凹部１０４ａの凹部内の上下方向の間隔ｄ２及び遠位側流量調節部材９６の雄側嵌合部１０２’が嵌合される外側制御筒部材６２の雌側嵌合部１０４’における位置決め用凹部１０４ａ’の凹部内の上下方向の間隔ｄ２についても、施工者の手指の幅よりも小さく設定されている。さらに、近位側流量調節部材９４の雄側嵌合部１０６が嵌合される外側制御筒部材６２の雌側嵌合部１０８における位置決め用凹部１０８ａの凹部内の上下方向の間隔ｄ３及び遠位側流量調節部材９６の雄側嵌合部１０６’が嵌合される外側制御筒部材６２の雌側嵌合部１０８’における位置決め用凹部１０８ａ’の凹部内の上下方向の間隔ｄ３についても、施工者の手指の幅よりも小さく設定されている。これらの結果、施工者が現場で手指を各位置決め用凹部９８ａ，１０４ａ，１０４ａ’，１０８ａ，１０８ａ’内に侵入させて、流量調節部材９２の雄側嵌合部１００と内側制御筒部材７６の雌側嵌合部９８との嵌合の解除操作、近位側流量調節部材９４の雄側嵌合部１０２，１０６と外側制御筒部材６２の雌側嵌合部１０４，１０８との嵌合解除操作、及び、遠位側流量調節部材９６の雄側嵌合部１０２’，１０６’と外側制御筒部材６２の雌側嵌合部１０４’，１０８’との嵌合解除操作が容易な状態になることを防ぐことができる。
すなわち、流量調節部材９２の雄側嵌合部１００を内側制御筒部材７６の雌側嵌合部９８に嵌合させた状態、近位側流量調節部材９４の雄側嵌合部１０２，１０６のそれぞれを外側制御筒部材６２の雌側嵌合部１０４，１０８のそれぞれに嵌合させた状態、及び、遠位側流量調節部材９６の雄側嵌合部１０２’，１０６’のそれぞれを外側制御筒部材６２の雌側嵌合部１０４’，１０８’のそれぞれに嵌合させた状態では、施工者は手指の幅よりも小さい幅の工具等の手段を使わない限り、これらの嵌合を容易に解除させることができず、流量調節部材９２を内側制御筒部材７６から容易に取り外せる状態になることを防ぐと共に、近位側流量調節部材９４及び遠位側流量調節部材９６を外側制御筒部材６２から容易に取り外せる状態になることを防ぐことができる。
これらの結果、洗浄水タンク装置１８や排水弁装置２８の施工時に、施工者が誤って内側制御筒部材７６に対する流量調節部材９２の取付位置を容易に変更することができず、外側制御筒部材６２に対する近位側流量調節部材９４及び遠位側流量調節部材９６の取付位置を容易に変更することができないため、貯水タンク２２から便器本体２へ供給する洗浄水量を施工者が現場で安易に調整することを防ぐことができ、予め設定された適切な洗浄水量を便器本体２へ供給することができる。
【００９２】
さらに、本実施形態による排水弁装置２８及びそれを備えた洗浄水タンク装置１８によれば、近位側流量調節部材９４及び遠位側流量調節部材９６を外側制御筒部材６２に嵌合させる際に、近位側流量調節部材９４及び遠位側流量調節部材９６のそれぞれの雄側嵌合部１０２，１０２’のフレーム状突起１０２ｂ，１０２ｂ’を外側制御筒部材６２の雌側嵌合部１０４，１０４’の位置決め用凹部１０４ａ，１０４ａ’に嵌合させた状態で、近位側流量調節部材９４及び遠位側流量調節部材９６のそれぞれの雄側嵌合部１０６，１０６’の鉤爪状突起１０６ａ，１０６ａ’を外側制御筒部材６２の雌側嵌合部１０８，１０８’の位置決め用凹部１０８ａ，１０８ａ’に容易に嵌合させることができる。したがって、近位側流量調節部材９４及び遠位側流量調節部材９６のそれぞれを外側制御筒部材６２に容易に取り付けることができ、近位側流量調節部材９４及び遠位側流量調節部材９６と外側制御筒部材６２との組立性を向上させることができる。
また、一旦、近位側流量調節部材９４及び遠位側流量調節部材９６のそれぞれの雄側嵌合部１０２，１０２’，１０６，１０６’を外側制御筒部材６２の雌側嵌合部１０４，１０４’，１０８，１０８’に嵌合させた状態になると、施工者は手指の幅よりも小さい幅の工具等の手段を使わない限り、近位側流量調節部材９４及び遠位側流量調節部材９６のそれぞれの雄側嵌合部１０２，１０２’，１０６，１０６’と外側制御筒部材６２の雌側嵌合部１０４，１０４’，１０８，１０８’との嵌合を容易に解除させることができず、近位側流量調節部材９４及び遠位側流量調節部材９６を外側制御筒部材６２から容易に取り外せる状態になることを防ぐことができる。この結果、洗浄水タンク装置１８や排水弁装置２８の施工時に、施工者が誤って外側制御筒部材６２に対する近位側流量調節部材９４及び遠位側流量調節部材９６の取付位置を容易に変更することができないため、貯水タンク２２から便器本体２へ供給する洗浄水量を施工者が現場で安易に調整することを防ぐことができ、予め設定された適切な洗浄水量を便器本体２へ供給することができる。
【００９３】
また、本実施形態による排水弁装置２８及びそれを備えた洗浄水タンク装置１８によれば、内側制御筒部材７６の雌側嵌合部９８は、内側制御筒部材７６の開口７６ａの両側の壁部７６ｅに一体に設けられ、外側制御筒部材６２の雌側嵌合部１０４，１０８が筒体本体９０の近位側側壁９０ｂに一体に設けられ、外側制御筒部材６２の雌側嵌合部１０４’，１０８’が筒体本体９０の近位側側壁９０ｂ’に一体に設けられているため、流量調整部材９２と内側制御筒部材７６との嵌合、及び、近位側流量調節部材９４及び遠位側流量調節部材９６と外側制御筒部材６２との嵌合を容易に解除させることを防止する手段を制外側制御筒部材６２の雌側嵌合部１０４，１０４’，１０８，１０８’の位置決め用凹部１０４ａ，１０４ａ’，１０８ａ，１０８ａ’以外に別途設ける必要がないため、洗浄水タンク装置１８や排水弁装置２８の施工時に、施工者が誤って内側制御筒部材７６及び外側制御筒部材６２に対する各流量調節部材９２，９４，９６の取付位置を容易に変更することを簡単な構造で防ぐことができる。この結果、予め設定された適切な洗浄水量を便器本体２へ供給することができる。
【００９４】
さらに、本実施形態による排水弁装置２８及びそれを備えた洗浄水タンク装置１８によれば、錘５６ｂを外側制御筒部材６２の切替弁５６の錘取付部５６ｄに取り付ける際に、切替弁本体５６ｃとスナップフィット１１０との間に錘５６ｂを上方から挿入することにより、錘５６ｂの一部を切替弁本体５６ｃとスナップフィット１１０とにより挟持した状態で、スナップフィット１１０の弾性変形部１１０ｃの弾性変形により錘５６ｂとスナップフィット１１０の突起部１１０ｄとが弾性的に接触しながら錘５６ｂを後方に移動させると、この弾性的な接触が解除され、錘５６ｂが切替弁本体５６ｃと支持部５６ｆ，５６ｇとの間に挿入され、支持部５６ｆ，５６ｇ及びスナップフィット１１０の後端面１１０ｅにより錘５６ｂを錘取付部５６ｄに確実に固定することができる。
また、錘５６ｂを外側制御筒部材６２の切替弁５６の錘取付部５６ｄに取り付けた状態では、この錘５６ｂによる上下方向の荷重によって、切替弁本体５６ｃが外側制御筒部材６２の開口部９０ｃを閉鎖した所定の上方位置と外側制御筒部材６２の開口部９０ｃを開放した所定の下方位置との間で回動することができる。このとき、切替弁５６の錘取付部５６ｄの支持部５６ｆ，５６ｇには、錘５６ｂによる上下方向の荷重が作用するのに対し、錘５６ｂの前端面５６ｉを固定する切替弁５６の錘取付部５６ｄのスナップフィット１１０には、錘５６ｂによる上下方向の荷重が作用しないため、上下方向の荷重に対して比較的強度の弱いスナップフィット１１０（例えば、スナップフィット１１０の基端部１１０ａ等）が、錘５６ｂの荷重によって破損したりすることを防ぐことができる。したがって、外側制御筒部材６２の切替弁５６による外側制御筒部材６２の開口部９０ｃの開閉動作中に、切替弁５６の錘取付部５６ｄのスナップフィット１１０が破損して錘５６ｂが錘取付部５６ｄから抜け落ちるのを防ぐことができる。この結果、切替弁５６の動作不良を防ぐことができ、排水弁装置２８の信頼性を向上させることができる。
【００９５】
つぎに、図２１及び図２２により、本発明の第２実施形態による排水弁装置及びそれを備えた洗浄水タンク装置について説明する。
ここで、図２１（ａ）は、本発明の第２実施形態による洗浄水タンク装置の排水弁装置の切替弁における錘の取り付け前の状態を示す側面図であり、図２１（ｂ）は、本発明の第２実施形態による洗浄水タンク装置の排水弁装置の切替弁における錘の取り付け中の状態を示す側面図であり、図２１（ｃ）は、本発明の第１実施形態による洗浄水タンク装置の排水弁装置の切替弁における錘の取り付け完了後の状態を示す側面図である。
また、図２２は、本発明の第２実施形態による洗浄水タンク装置の排水弁装置における切替弁を示す正面図である。
なお、図２１及び図２２において、上述した本発明の第１実施形態による排水弁装置の部分と同一部分については同一の符号を付し、それらの説明は省略する。
【００９６】
図２１及び図２２に示すように、本発明の第２実施形態による排水弁装置においては、切替弁２００の構成のみが、上述した本発明の第１実施形態による排水弁装置２８の切替弁５６の構成と異なっている。
すなわち、切替弁２００は、切替弁本体５６ｃの外側表面５６ｈ上にほぼ半球状に一体に形成され且つ錘５６ｂを支持する上側支持部５６ｆ及び下側支持部５６ｇの前方に配置された突起２０２を備えている。
錘５６ｂを錘取付部２００ａに取り付ける際には、錘５６ｂを上方から突起２０２の表面に接触させることにより（図２１（ａ）参照）、この錘５６ｂの後方の一部が下側支持部５６ｇに支持される（図２１（ｂ）参照）。このとき、錘５６ｂが突起２０２の表面に接触しながら前後方向に通過可能となっている。
【００９７】
また、図２１（ｂ）及び図２２に示すように、突起２０２の表面に接触しながら前後方向に通過する際の錘５６ｂにおいては、切替弁本体５６ｃの外側表面５６ｈから面外方向に突出した突起２０２の高さｈ１によって、切替弁本体５６ｃの外側表面５６ｈから離間する方向に弾性的な曲げ変形が一時的に生じている。
なお、図２２においては、錘５６ｂの内側表面５６ｊが突起２０２の表面に接触しながら前後方向に通過中に、切替弁本体５６ｃの外側表面５６ｈから離間する方向に弾性的な曲げ変形が生じている状態の錘５６ｂを仮想線Ｂで示している。
【００９８】
さらに、図２１（ｃ）に示すように、錘５６ｂの全体が上側支持部５６ｆと下側支持部５６ｇとの間に完全に挿入されると、錘５６ｂの内側表面５６ｈと突起２０２と弾性的な接触が解除され、錘５６ｂの錘取付部５６ｄへの取り付けが完了するようになっている。
錘５６ｂの錘取付部５６ｄへの取り付けが完了した状態では、突起２０２による錘５６ｂの弾性的な曲げ変形が戻り、錘５６ｂの前端面５６ｉと突起２０２の外縁２０２ａが互いに当接し、錘５６ｂが突起２０２によって前後方向に固定された状態になっている。
【００９９】
上述した本発明の第２実施形態による排水弁装置によれば、図２１（ａ）に示す取り付け前の錘５６ｂを外側制御筒部材６２の切替弁２００の錘取付部２００ａに取り付ける際に、図２１（ｂ）に示すように、上方から錘５６ｂの一部を突起２０２と一部の下側支持部５６ｇに接触させた後、錘５６ｂを突起２０２の表面に弾性的に接触させながら後方へ移動させる。このとき、図２２の仮想線Ｂに示すように、錘５６ｂが切替弁本体５６ｃの外側表面５６ｈから離間する方向に弾性的な曲げ変形が生じている状態で突起２０２を通過する。その後、錘５６ｂの全体が上側支持部５６ｆと下側支持部５６ｇとの間に完全に挿入されると、錘５６ｂと突起２０２との弾性的な接触が解除され、錘５６ｂが切替弁本体５６ｃと支持部５６ｆ，５６ｇとの間に挿入され、支持部５６ｆ，５６ｇ及び突起２０２の外縁２０２ａにより錘５６ｂを錘取付部２００ａに確実に固定することができる。
また、錘５６ｂを外側制御筒部材６２の切替弁５６の錘取付部２００ａに取り付けた状態では、この錘５６ｂによる上下方向の荷重によって、切替弁本体５６ｃが外側制御筒部材６２の開口部９０ｃを閉鎖した所定の上方位置と外側制御筒部材６２の開口部９０ｃを開放した所定の下方位置との間で回動するとき、切替弁５６の錘取付部２００ａの支持部５６ｆ，５６ｇには、錘５６ｂによる上下方向の荷重が作用するのに対し、錘５６ｂの前端面５６ｉを固定する切替弁５６の錘取付部２００ａの突起２０２の外縁２０２ａには、錘５６ｂによる上下方向の荷重が作用しないため、この錘５６ｂの荷重によって突起２０２が破損したりすることを防ぐことができる。したがって、外側制御筒部材６２の切替弁５６による外側制御筒部材６２の開口部９０ｃの開閉動作中に、切替弁５６の錘取付部２００ａの突起２０２が破損して錘５６ｂが錘取付部２００ａから抜け落ちるのを防ぐことができる。この結果、切替弁５６の動作不良を防ぐことができ、排水弁装置２８の信頼性を向上させることができる。
【符号の説明】
【０１００】
１      水洗便器
２      便器本体
４      ボウル部
６      導水路
８      トラップ管路
８ａ    入口
８ｂ    上昇路
８ｃ    下降路
１０      リム
１２      第１吐水口
１４      溜水部
１６      第２吐水口
１８      洗浄水タンク装置
２０      外装タンク
２２      貯水タンク
２２ａ    排水口
２４      蓋体
２６      給水装置
２８      排水弁装置
３０      給水管
３２      給水バルブ
３４      フロート
３６      吐水口
３８      リフィール管
４０      オーバーフロー管
４０ａ    弁体保持部
４０ｂ    円筒部
４０ｃ    曲がり面
４２      操作レバー
４４      回転軸
４４ａ    回転軸の中心軸線
４６      玉鎖引き上げ部材
４６ａ    第１玉鎖取付部
４６ｂ    第２玉鎖取付部
４６ｃ    第３玉鎖取付部
４８      第１玉鎖
５０      第２玉鎖
５２      フロート部材
５２ａ    第１玉鎖取付部
５２ｂ    第２玉鎖取付部
５２ｃ    フロート部
５２ｄ    底部
５２ｅ    オーバーフロー管取付部
５２ｆ    フロート部の中央穴
５４      第３玉鎖
５６      切替弁
５６ａ    第３玉鎖取付部
５６ｂ    錘
５６ｃ    切替弁本体
５６ｄ    錘取付部
５６ｅ    切替弁本体のヒンジ部
５６ｆ    上側支持部
５６ｇ    下側支持部
５６ｈ    錘の外側表面
５６ｉ    錘の前端面
５６ｊ    錘の内側表面
５８      排水弁ユニット
５８ａ    排水弁ユニットの中心軸線
６０      排水口ユニット
６２      外側制御筒部材
６４      排水口形成部材
６４ａ    流路面
６６      シール部材
６８      締結部材
７０      排水口形成部材の排水口上縁部
７２      保持突起
７４      排水口形成部材の上端開口部
７６      内側制御筒部材
７６ａ    開口
７６ｂ    貯水部
７６ｃ    ガイド部
７６ｄ    係合溝
７６ｅ    壁部
７８      保持突起
８０      排水口形成部材のリブ
８２      連通口
８４      弁体
８６      オーバーフロー管取付部材
８６ａ    流入口
８８      リフィール管取付部材
８８ａ    ノズル部
９０      筒体本体
９０ａ    係合溝
９０ｂ    近位側側壁
９０ｂ’  遠位側側壁
９０ｃ    洗浄モード切替用開口部
９０ｄ    流量調節用の近位側開口部
９０ｄ’  流量調節用の遠位側開口部
９０ｅ    背面側壁部
９０ｆ    背面側壁部の側面
９０ｇ    凹部
９０ｈ    ヒンジ部
９２      流量調節部材
９２ａ    流量調節部材の遮蔽部
９４      近位側流量調節部材
９４ａ    遮蔽部
９６      遠位側流量調節部材
９６ａ    遮蔽部
９８      内側制御筒部材の雌側嵌合部
９８ａ    位置決め用凹部
１００      流量調節部材の雄側嵌合部
１００ａ    鉤爪状突起
１０２      近位側流量調節部材の雄側嵌合部
１０２ａ    長穴
１０２ｂ    フレーム状突起
１０２’    遠位側流量調節部材の雄側嵌合部
１０２ａ’  長穴
１０２ｂ’  フレーム状突起
１０２ｃ’  フレーム状突起の上端部
１０２ｄ’  フレーム状突起の下端部
１０２ｅ’  柱部
１０４      外側制御筒部材の雌側嵌合部
１０４ａ    位置決め用凹部
１０４ｂ    凹部形成突起
１０４’    外側制御筒部材の雌側嵌合部
１０４ａ’  位置決め用凹部
１０６      近位側流量調節部材の雄側嵌合部
１０６ａ    鉤爪状突起
１０６’    遠位側流量調節部材の雄側嵌合部
１０６ａ’  鉤爪状突起
１０６ｂ’  鉤爪状突起の先端部
１０８      外側制御筒部材の雌側嵌合部
１０８ａ    位置決め用凹部
１０８’    外側制御筒部材の雌側嵌合部
１０８ａ’  位置決め用凹部
１０８ｂ’  位置決め用凹部内の凹部
１１０      スナップフィット（固定部、弾性接触手段、弾性留め具）
１１０ａ    スナップフィットの基端部
１１０ｂ    スナップフィットの先端部
１１０ｃ    スナップフィットの弾性変形部
１１０ｄ    スナップフィットの突起部
１１０ｅ    スナップフィットの後端面
２００      切替弁
２００ａ    錘取付部
２０２      突起
２０２ａ    突起の外縁
【図１】
2012219509.tif 000003
【図２】
2012219509.tif 000004
【図３】
2012219509.tif 000005
【図４】
2012219509.tif 000006
【図５】
2012219509.tif 000007
【図６】
2012219509.tif 000008
【図７】
2012219509.tif 000009
【図８】
2012219509.tif 000010
【図９】
2012219509.tif 000011
【図１０】
2012219509.tif 000012
【図１１】
2012219509.tif 000013
【図１２】
2012219509.tif 000014
【図１３】
2012219509.tif 000015
【図１４】
2012219509.tif 000016
【図１５】
2012219509.tif 000017
【図１６】
2012219509.tif 000018
【図１７】
2012219509.tif 000019
【図１８】
2012219509.tif 000020
【図１９】
2012219509.tif 000021
【図２０】
2012219509.tif 000022
【図２１】
2012219509.tif 000023
【図２２】
2012219509.tif 000024